(57)【要約】      （修正有）【課題】葉書や帳票等の単位シートが切取ミシン線で連設され所定領域に剥離性接着剤層が形成された連続シートに関し、連設された単位シートに形成されるミシン線部分でブロッキングを防止する連続シートを提供する。【解決手段】３つ折りされる単位シート１２が切取ミシン線１３を介して連設され、各単位シート１２の表面１２Ａ及び裏面１２Ｂの所定領域に剥離性接着剤層１７Ａ，１７Ｂが形成され、当該切取ミシン線１３が連設方向に対する垂直方向に形成されるものであり、切取ミシン線１３を形成する切込部材が挿入される面と反対面の、当該切取ミシン線１３を含む領域にライン状の接着抑制層１８をそれぞれ形成する構成とする。【選択図】図１
2015024580.tif 000002
【特許請求の範囲】
【請求項１】
少なくとも２つ折りされる単位シートが切取ミシン線を介して連設され、各単位シートの表面及び裏面の所定領域に剥離性接着剤層が形成され、当該切取ミシン線が連設方向に対する垂直方向に形成される連続シートであって、
前記切取ミシン線を形成する切込部材が挿入される面と反対面であり、当該切取ミシン線を含む領域にライン状の接着抑制層がそれぞれ形成されることを特徴とする連続シート。
【発明の詳細な説明】
【技術分野】
【０００１】
本発明は、葉書や帳票等の単位シートが切取ミシン線で連設され、所定領域に剥離性接着剤層が形成された連続シートに関する。
【背景技術】
【０００２】
近年、特に秘匿したい情報を隠蔽した折り畳み接着する圧着葉書が一般的に使用されるようになっている。このような圧着葉書は、一の葉書となる単位シートが切取ミシン線で連設された連続シートより作製される。この場合、連続シートはＺ折り状やロール状の状態で納品されるものであるが、納品状態での圧着のための接着剤層によるブロッキングを防止する必要がある。
【０００３】
従来、圧着葉書を作製する連続シートとして特許文献１に示されたものが知られている。特許文献１には、一のメール用帳票の領域がミシン目で連設された連続シート（メール用紙）であり、当該連続シートは表面及び裏面の全域に弱接着層が形成され、切取自在な両側の送り孔の形成、情報の印刷、一のメール用帳票とする圧着する面数に応じたミシン目の形成の後に、一のメール用帳票の領域を区分けした上記ミシン目のうち、２つの領域を一面とするミシン目でＺ折りに重ね合わせた状態とされたものとして示されている。
【０００４】
また、上記送り孔形成に対する課題を解決する重ね合わせ接着用シートが特許文献２に示されている。特許文献２には、特許文献１に示されているような連続シートにおいて、弱接着層が形成された後に送り孔を例えば型抜きで形成する際、形成孔内に接着剤が付着して搬送不良が生じたり、抜きカス同士が接着剤で接着して廃棄不良が生じることを防止するために、連続シートの送り孔を形成させる予定の両側の全域の弱接着層上に接着力抑制インキを施したり、送り孔となる部分の周囲に接着力抑制インキを施すことが開示されている。
【先行技術文献】
【特許文献】
【０００５】
【特許文献１】特開平０８−１０４０８６号公報
【特許文献２】特許第３３６８９１０号公報
【発明の概要】
【発明が解決しようとする課題】
【０００６】
ここで、図５に、従来の連続シートの折り畳み状態の説明図を示す。図５（Ａ）に示す連続シート１０１は、上記特許文献１に示された一のメール用帳票１０２が連設方向に対する垂直方向に形成された切取ミシン線（特許文献１の一のメール用帳票の領域を区分けするミシン目）１０３でＺ折り状に折り畳まれた状態として示したものである。
【０００７】
この場合、連続シート１０１はその表面及び裏面の全面に弱接着層１０７Ａ，１０７Ｂが形成された後に当該切取ミシン線１０３が形成されることから、図５（Ｂ）に示すように、切取ミシン線形成の型押し側と反対面側に基材のバリや毛羽立ちが接着剤を付着させた状態で生じ、当該部分がＺ折りされたときにその突状部分１１０で相対向して折り畳まれて保管されることとなる。すると、突状部分１１０が相対向した部分でその自重が集中することとなって弱接着層であっても接着した状態、すなわち、ブロッキングを生じてしまい、後に一のメール用帳票１０２とするために順次供給（図５の破線矢印）する際に搬送不良を惹起してしまうという問題がある。
【０００８】
そこで、本発明は上記課題に鑑みなされたもので、連設された単位シートに形成されるミシン線部分でブロッキングを防止する連続シートを提供することを目的とする。
【課題を解決するための手段】
【０００９】
上記課題を解決するために、請求項１の発明では、少なくとも２つ折りされる単位シートが切取ミシン線を介して連設され、各単位シートの表面及び裏面の所定領域に剥離性接着剤層が形成され、当該切取ミシン線が連設方向に対する垂直方向に形成される連続シートであって、前記切取ミシン線を形成する切込部材が挿入される面と反対面であり、当該切取ミシン線を含む領域にライン状の接着抑制層がそれぞれ形成される構成とする。
【発明の効果】
【００１０】
本発明によれば、少なくとも２つ折りされる単位シートが切取ミシン線を介して連設され、各単位シートの表面及び裏面の所定領域に剥離性接着剤層が形成され、当該切取ミシン線が連設方向に対する垂直方向に形成される連続シートであり、切取ミシン線を形成する切込部材が挿入される面と反対面の、当該切取ミシン線を含む領域にライン状の接着抑制層をそれぞれ形成する構成とすることにより、連続シートを折り畳んでの保管やロール状での保管の際に、切取ミシン線の形成で生じる接着剤層を伴う突状部分で接着抑制層が介在され、ブロッキングを効果的に防止することができるものである。
【図面の簡単な説明】
【００１１】
【図１】本発明に係る連続シートの構成図である。
【図２】図１の連続シートの一部製造説明図である。
【図３】図１の連続シートの折り畳み状態の説明図である。
【図４】図１の連続シートにおける他の適用例の説明図である。
【図５】従来の連続シートの折り畳み状態の説明図である。
【発明を実施するための形態】
【００１２】
以下、本発明の実施形態を図により説明する。本実施形態では、連続シートを３つ折り葉書の単位シートが連設される場合を示すが、２つ折りの葉書でも同様であり、また、封書体等の折り畳み接着帳票においても適用することができるものである。なお、本実施形態における図は、説明を容易とするために寸法を無視して示している。
【００１３】
図１に、本発明に係る連続シートの構成図を示す。図１（Ａ）、（Ｂ）に示される連続シート１１は、３つ折りの葉書を単位シート１２として連設されたもので、図における宛名等の記載する面を表面１２Ａとして説明する。図１（Ａ）、（Ｂ）において、連続シート１１は、長手方向両側にマージナルミシン線１４Ａ，１４Ｂによってマージナル部１５Ａ，１５Ｂが形成され、当該マージナル部１５Ａ，１５Ｂの領域内にトラクタ搬送のためのマージナル孔が形成されている。
【００１４】
上記マージナル部１５Ａ，１５Ｂ間には、一の折り畳み葉書となる単位シート１２の領域が切取ミシン線１３を介して連設される。すなわち、切取ミシン線１３は単位シート１２の連設方向に対する垂直方向に形成される。連設された単位シート１２が３つ折り形態とするための各紙葉を折り線１６，１６で形成している。これによって、各単位シート１２は、第１紙葉１２−１、第２紙葉１２−２、第３紙葉１２−３が切取ミシン線１３の方向に並んだ状態となる。
【００１５】
上記各単位シート１２であって、宛名が印刷される面全体を表面１２Ａとし、反対面を裏面１２Ｂとする。そして、当該各単位シート１２の表面１２Ａであって、第２紙葉１２−２及び第３紙葉１２−３の領域には、従前より知られている剥離性接着剤層１７Ａが形成される。また、裏面１２Ｂであって、第１紙葉１２−１及び第２紙葉１２−２の領域には、同様の剥離性接着剤層１７Ｂが形成される。なお、剥離性接着剤層１７Ａ，１７Ｂは、マージナル部１５Ａ，１５Ｂを含む表面１２Ａの全面及びマージナル部１５Ａ，１５Ｂを含む裏面１２Ｂの全面に形成してもよい。
【００１６】
そして、当該剥離性接着剤層１７Ａ，１７Ｂ上には適宜情報（隠蔽情報）が印刷され、第３紙葉１２−３の裏面１２Ｂにおいても適宜情報が印刷される。上記各単位シート１２は、後に切り取られて単一とされた場合には、図１（Ｃ）に示すように、折り線１６よりＺ折りされることで、表面１２Ａの第２紙葉１２−２と第３紙葉１２−３とが重ね接着され、裏面１２Ｂの第１紙葉１２−１と第２紙葉１２−２とが重ね接着されることで隠蔽葉書となる。
【００１７】
そして、切取ミシン線１３を形成するための切込部材（図２で説明する）が挿入される面（表面１２Ａとする）と反対面（裏面１２Ｂ）であり、各切取ミシン線１３を含む領域にライン状（例えば幅２ｍｍ）の接着抑制層１８がそれぞれ形成される。接着抑制層１８は、好ましくは透明のもので粘着性を示さないものであればよく、例えばメジウムインキ、ＯＰ（オーバープリント）ニスなどがある。また、シリコン含有の剥離剤であってもよい。
【００１８】
ここで、図２に、図１の連続シートの一部製造説明図を示す。図２（Ａ）に示す連続シート１１は、その前工程で、シート基材の表面１２Ａに第２葉１２−２及び第３紙葉１２−３を予定する領域に剥離性接着剤層１７Ａが形成され、裏面１２Ｂに第１紙葉１２−１及び第２紙葉１２−２を予定する領域に剥離性接着剤層１７Ｂが形成されている。また、マージナル部１５Ａ，１５Ｂとなる領域となる箇所にマージナルミシン線１４Ａ，１４Ｂが形成されると共に、マージナル孔が形成されている。そして、第１紙葉１２−１〜第３紙葉１２−３となる箇所に折り線１６，１６が形成されている。
【００１９】
上記のような連続シート１１は、図２（Ａ）に示すように、搬送経路中にシート基材の裏面１２Ｂ側に印刷機やコータなどの接着抑制層形成部２１が配置されて、切取ミシン線１３の形成予定領域に当該切取ミシン線１３を含むようにライン状の接着抑制層１８を形成する。シート基材の表面１２Ａ側であって、当該接着抑制層形成部２１の搬送方向下流側に切込部材である切取ミシン線カッタ２２が上下動自在に配置され、当該接着抑制層１８の領域内にシート基材の表面１２Ａ側より切り込みを入れて切取ミシン線１３を形成するものである。
【００２０】
切取ミシン線１３は、そのカット部分の拡大断面図を表した図２（Ｂ）に示すように、表面１２Ａ側より切取ミシン線カッタ２２で切り込みされると、シート基材のバリや毛羽立ちが生じて剥離性接着剤層１７Ｂが盛り上がりを生じるが、当該部分には接着抑制層１８が位置された突状部１８Ａとなるものである。
【００２１】
そこで、図３に、図１の連続シートの折り畳み状態の説明図を示す。上記のような連続シート１１は、図３（Ａ）に示すように、２つの単位シート１２を一面としてＺ折りにされて保管ないし納品される。このようなＺ折りの場合、表面１２Ａ同士が重ね合わさった状態になると共に、裏面１２Ｂ同士が重ね合わさった状態となる。
【００２２】
すなわち、各単位シートの１２の寸法が同一であることから、図３（Ｂ）に示すように、切取ミシン線１３の形成時に生じた剥離性接着剤層１７Ｂの突状部分が接着抑制層１８で覆われた突状部１８Ａ同士が重なった状態となる。この部分は、接着力が無い状態若しくは抑制された状態であり、加重によるブロッキングが生じないものである。なお、図３（Ｂ）は、Ｚ折り面の中心部分の切取ミシン線１３を示しているが、その前後の切取ミシン線１３の部分（折られた部分）においても同様である。
【００２３】
ところで、連続シート１１の裏面１２Ｂであって、単位シート１２の折り部分に形成される折り線１６，１６の部分にも同様に切り込みによるバリや毛羽立ちで剥離性接着剤層１７Ｂの突状部分を生じ、当該連続シート１１をＺ折りしたときにその突状部分同士が接着してブロッキングを生じることも同様であるが、後に当該Ｚ折りした連続シート１１を展開しながら供給する場合、供給方向（図３（Ａ）の破線矢印）と折り線１６，１６の形成方向が同じであることから、例えブロッキングを生じていても供給方向に対して垂直方向の形成された切取ミシン線１３でのブロッキングに比べれば剥がれ易いものである。
【００２４】
しかしながら、剥離性接着剤層１７Ａ，１７Ｂの粘度（粘度が低い）や重ね量によっては連続シート供給時にブロッキングによって剥がれ難い場合もあることを考慮すると、当該単位シート１２の連設方向と同方向の折り線１６，１６についても切り込み挿入面と反対面（裏面１２Ｂ）側に接着抑制層１８を形成してもよいものである。
【００２５】
次に、図４に、図１の連続シートにおける他の適用例の説明図を示す。図３では、連続シート１１をＺ折りとした場合を示したが、この適用例では、図４（Ａ）に示すように、ロール状として保管ないし納品される場合である。この場合においては、図４（Ｂ）に示す裏面１２Ｂの接着抑制層１８は表面１２Ａ側に接触することとなる。
【００２６】
すなわち、裏面１２Ｂに接着抑制層１８を設けない場合には、特にロール状とすることによって接触圧力が強くなる傾向にあり、剥離性接着剤層１７Ｂの突状部分の接着剤が表面１２Ａ側に形成された剥離性接着剤層１７Ａと接着してブロッキングを生じる場合もあるが、図４（Ｃ）に示すように、接着抑制層１８を形成することにより当該突状部分（１８Ａ）が剥離性接着剤層１７Ａと接着することはなく、ブロッキングを防止することができるものである。
【００２７】
このように、連続シート１１を折り畳んでの保管若しくは納品やロール状での保管若しくは納品の際に、切取ミシン線１３の形成で生じる剥離性接着剤層１７Ｂを伴う突状部分で接着抑制層１８が介在されることから、ブロッキングを効果的に防止することができるものである。
【産業上の利用可能性】
【００２８】
本発明の連続シートは、葉書や帳票等の単位シートを切取ミシン線で連設させ、所定処理を行って保管状態とさせる製造産業等に利用可能である。
【符号の説明】
【００２９】
１１            連続シート
１２            単位シート
１２−１        第１紙葉
１２−２        第２紙葉
１２−３        第３紙葉
１３            切取ミシン線
１４            マージナルミシン線
１５            マージナル部
１６            折り線
１７            剥離性接着剤層
１８            接着抑制層
２１            接着抑制層形成部
２２            切取ミシン線カッタ 
【図１】
2015024580.tif 000003
【図２】
2015024580.tif 000004
【図３】
2015024580.tif 000005
【図４】
2015024580.tif 000006
【図５】
2015024580.tif 000007